(57)【要約】【課題】装置を小型化するとともに製造コストを低減し、更に、特定サービスの取り逃がしを防止し、又、良好な品質の音声放送を取得する。【解決手段】音声を受信する第１チューナモジュール１０１と、ＲＤＳデータを受信する第２チューナモジュール１０２と、第１チューナモジュール１０１および第２チューナモジュール１０２で共用され、ＲＤＳデータを復号するためのデモジュレータ１０４と、第１チューナモジュール１０１または第２チューナモジュール１０２からのデータ出力をデモジュレータ１０４に選択的に入力しうる選択手段１０３と、選択手段１０３の選択状態を制御する選択制御手段１１１と、第２チューナモジュール１０２で交通情報が放送されていることが検出されると、第１チューナモジュール１０１の受信周波数を第２チューナモジュール１０２での受信周波数に変更する受信周波数調整手段１１２とを備えて構成する。【選択図】図１
2007174304.tif 000002
【特許請求の範囲】
【請求項１】
ＲＤＳ（Radio Data System）データを受信する受信装置において、
主として音声を受信する第１チューナモジュールと、
該第１チューナモジュールと並列的に設けられ、主として該ＲＤＳデータを受信する第２チューナモジュールと、
上記の第１チューナモジュールおよび第２チューナモジュールで共用され、該ＲＤＳデータを復号するためのデモジュレータと、
上記の第１チューナモジュールまたは第２チューナモジュールからのデータ出力を該デモジュレータに選択的に入力しうる選択手段と、
該選択手段の選択状態を制御する選択制御手段と、
該第２チューナモジュールで交通情報が放送されていることが検出されると、該第１チューナモジュールの受信周波数を該第２チューナモジュールでの受信周波数に変更する受信周波数調整手段とを備えて構成されたことを特徴とする、ＲＤＳデータ受信装置。
【請求項２】
ＲＤＳ（Radio Data System）データを受信する受信装置において、
主として音声を受信する第１チューナモジュールと、
該第１チューナモジュールと並列的に設けられ、主として該ＲＤＳデータを受信する第２チューナモジュールと、
上記の第１チューナモジュールおよび第２チューナモジュールに共用されるデモジュレータと、
上記の第１チューナモジュールまたは第２チューナモジュールからのデータ出力を該デモジュレータに選択的に入力しうる選択手段と、
該第２チューナモジュールで受信した該ＲＤＳデータを他機器で使用している場合は、該第２チューナモジュールからのデータ出力を該デモジュレータに入力するよう該選択手段に選択させる選択制御手段とを備えて構成されたことを特徴とする、ＲＤＳデータ受信装置。
【請求項３】
ＲＤＳ（Radio Data System）データを受信する受信装置において、
主として音声を受信する第１チューナモジュールと、
該第１チューナモジュールと並列的に設けられ、主として該ＲＤＳデータを受信する第２チューナモジュールと、
上記の第１チューナモジュールおよび第２チューナモジュールで共用され、該ＲＤＳデータを復号するためのデモジュレータと、
上記の第１チューナモジュールまたは第２チューナモジュールからのデータ出力を該デモジュレータに選択的に入力しうる選択手段と、
該第２チューナモジュールで受信した該ＲＤＳデータを他機器で使用していない時に、前記第１チューナモジュールで受信している放送データの代替周波数のアンテナ入力チェックを行なうネットワークフォロー手段とを備えることを特徴とする、ＲＤＳデータ受信装置。
【請求項４】
ＲＤＳ（Radio Data System）データを受信する受信装置において、
主として音声を受信する第１チューナモジュールと、
該第１チューナモジュールと並列的に設けられ、主として該ＲＤＳデータを受信する第２チューナモジュールと、
上記の第１チューナモジュールおよび第２チューナモジュールで共用され、該ＲＤＳデータを復号するためのデモジュレータと、
上記の第１チューナモジュールまたは第２チューナモジュールからのデータ出力を該デモジュレータに選択的に入力しうる選択手段と、
該第２チューナモジュールで受信した該ＲＤＳデータを他機器で使用していない時に、前記第１チューナモジュールで受信している放送データの代替周波数の放送局コードチェックを行なうネットワークフォロー手段とを備えることを特徴とする、ＲＤＳデータ受信装置。
【請求項５】
第１の情報と当該第１の情報とは異なる第２の情報とを多重化した多重放送信号を受信するデータ受信装置であって、
主として該第１の情報を受信する第１チューナモジュールと、
該第１チューナモジュールと並列的に設けられるとともに、該第１の情報と該第２の情報とを受信可能に構成され、主として該第２の情報を受信する第２チューナモジュールと、
上記の第１チューナモジュールおよび第２チューナモジュールで共用され、該第２の情報の解読を行なうデモジュレータと、
上記の第１チューナモジュールまたは第２チューナモジュールによって受信される該第２の情報を該デモジュレータに選択的に入力しうる選択手段と、
前記選択手段の選択状態を制御する選択制御手段と、
該第２チューナモジュールで該第２の情報におけるステータスコードが特定情報配信モードとなったことが検出されると、該第１チューナモジュールの受信周波数を該第２チューナモジュールでの受信周波数に変更する受信周波数調整手段とを備えて構成されたことを特徴とする、データ受信装置。
【請求項６】
第１の情報と当該第１の情報とは異なる第２の情報とを多重化した多重放送信号を受信するデータ受信装置であって、
主として該第１の情報を受信する第１チューナモジュールと、
該第１チューナモジュールと並列的に設けられるとともに、該第１の情報と該第２の情報とを受信可能に構成され、主として該第２の情報を受信する第２チューナモジュールと、
上記の第１チューナモジュールおよび第２チューナモジュールで共用され、該第２の情報の解読を行なうデモジュレータと、
上記の第１チューナモジュールまたは第２チューナモジュールによって受信される該第２の情報を該デモジュレータに選択的に入力しうる選択手段と、
該第２チューナモジュールで特定の第２の情報を受信している場合は、該第２チューナモジュールからのデータ出力を該デモジュレータに入力するよう該選択手段に選択させる選択制御手段とを備えて構成されたことを特徴とする、データ受信装置。
【発明の詳細な説明】
【技術分野】
【０００１】
本発明は、多重放送を受信するための受信装置に関し、特にＲＤＳ（Radio Data System）データを受信する技術に関する。
【背景技術】
【０００２】
ＲＤＳ（Radio Data System）は、ＦＭ放送等のラジオ放送の空きチャンネルを利用したデータ放送システムであって、ラジオ受信に有効な様々なデータや交通情報，ラジオテキストによるその他の情報を送るインフォメーションサービスを目的とし、主に欧州において実用されている。
図８は従来のＲＤＳデータ受信装置の構成を模式的に示す図である。
【０００３】
従来のＲＤＳデータ受信装置２００は、ＲＤＳシステムにおいてＲＤＳデータ等の受信に用いられるものであって、図８に示すように、第１チューナモジュール２０１，第２チューナモジュール２０２，第１ＲＤＳデモジュレータ２０３，第２ＲＤＳデモジュレータ２０４，マイコン２０６，アンプ２０７および分配器２１０をそなえて構成され、又、このＲＤＳデータ受信装置２００には、アンテナ２０５，スピーカ２０８およびカーナビゲーションシステム２０９が接続されている。
【０００４】
アンテナ２０５は、例えばＦＭ電波等の放送信号を受信するものであり、この放送信号にはＲＤＳデータが多重化されている。分配器２１０は、アンテナ２０５によって受信された放送信号を第１チューナモジュール２０１と第２チューナモジュール２０２とに分配するものである。
第１チューナモジュール２０１は、分配器２１０によって分配された放送信号から任意周波数の放送信号に同調（選局）するものであり、又、この選局された信号を検波して音声信号を抽出し、この抽出した音声信号をアンプ２０７に出力するようになっている。
【０００５】
また、第１チューナモジュール２０１は、受信選局した信号に重畳されているＲＤＳデータの信号成分を抽出し、この抽出したＲＤＳデータを第１ＲＤＳデモジュレータ２０３に渡すようになっている。
なお、第１チューナモジュール２０１は、主にラジオ放送の受信に用いられるようになっており、放送中のラジオ番組に関するＲＤＳデータとしては、例えば、放送中の曲のタイトルやアーティスト名等のテキスト情報があげられる。
【０００６】
第２チューナモジュール２０２は、第１チューナモジュール２０１と同様に、分配器２１０によって分配された放送信号から任意周波数の放送信号に同調（選局）するものである。
そして、この第２チューナモジュール２０２は、受信選局した信号に重畳されているＲＤＳデータの信号成分を出し、抽出したＲＤＳデータを第２ＲＤＳデモジュレータ２０４に渡すようになっている。
【０００７】
なお、第２チューナモジュール２０２は、交通情報等の、主にカーナビゲーションシステムにおいて用いられるＲＤＳデータの受信に用いられるようになっている。
第１ＲＤＳデモジュレータ２０３は、第１チューナモジュール２０１によって同調された放送信号から抽出されたＲＤＳデータのデータ復調（デコード，解読）を行なうものであり、第２ＲＤＳデモジュレータ２０４は、第２チューナモジュール２０２によって同調された放送信号から抽出されたＲＤＳデータのデータ復調を行なうものである。又、これらの第１ＲＤＳデモジュレータ２０３および第２ＲＤＳデモジュレータ２０４によって行なわれたデータ復調の各結果は、それぞれマイコン２０６に渡されるようになっている。
【０００８】
マイコン２０６は、第１ＲＤＳデモジュレータ２０３，第２ＲＤＳデモジュレータ２０４においてそれぞれデータ復調されたＲＤＳデータに基づいて種々の処理や機能を実現するものであり、例えば、第１ＲＤＳデモジュレータ２０３によってデータ復調されたＲＤＳデータに基づいて、図示しないディスプレイに、放送されている楽曲のタイトルやアーティスト名を表示させる制御を行なったり、第２ＲＤＳデモジュレータ２０４によってデータ復調されたＲＤＳデータに基づいて交通情報を取得し、カーナビゲーションシステム２０９に渡すようになっている。
【０００９】
カーナビゲーションシステム２０９は、マイコン２０６から受信した交通情報を用いて、ディスプレイ（図示省略）への渋滞情報の表示やルートの再計算等の種々の処理を行なうようになっている。
アンプ２０７は、第１チューナモジュール２０１によって受信・検波されることにより抽出された音声信号に対して、増幅等の音声信号処理を行なうものであり、スピーカ２０８は、アンプ２０７によって処理された音声信号を出力するものである。
【００１０】
上述の如く構成された従来のＲＤＳ受信装置２００においては、アンテナ２０５によって受信され分配器２１０によって分配された放送信号について、例えばユーザが聴きたいラジオ放送番組を第１チューナモジュール２０１により選局し、その放送番組の音声（例えば音楽）がアンプ２０７やスピーカ２０８を介して出力される。
また、第１チューナモジュール２０１によって受信選局された放送信号に重畳されているＲＤＳデータがある場合には、第１ＲＤＳデモジュレータ２０３が、その放送信号から抽出されたＲＤＳデータのデータ復調を行ない、マイコン２０６が、そのＲＤＳデータに基づき、例えば、放送中の楽曲のタイトルやアーティスト名等のテキスト情報をディスプレイに表示させる等の処理を行なう。
【００１１】
一方、第２チューナモジュール２０２は、アンテナ２０５によって受信され分配器２１０によって分配された放送信号について、ＲＤＳデータが重畳された放送信号を選局し、第２ＲＤＳデモジュレータ２０４が、その放送信号から抽出されたＲＤＳデータのデータ復調を行なう。更に、マイコン２０６が、その復調されたＲＤＳデータに基づいて、例えば交通情報を取得し、カーナビゲーションシステム２０９において、渋滞情報の表示等、種々の処理が行なわれる。
【００１２】
例えば、下記特許文献１には、メイン用チューナモジュールおよびメイン用ＲＤＳデモジュレータとサブ用チューナモジュールおよびサブ用ＲＤＳデモジュレータとからなる２つの受信系統をそなえ、メイン用受信系統によって放送信号を受信するとともに、サブ用受信系統によりＴＭＣ（Traffic Message Channel；交通情報チャンネル）を受信する手法が開示されている。
【特許文献１】特開２００４−２３５４２号公報
【非特許文献１】緒方俊彦，阪田伸幸，藤原章洋，奥田昌男著  「ＲＤＳ（ラジオデータシステム）」富士通テン技報  Vol.9 No.2(1991) （図−８）
【発明の開示】
【発明が解決しようとする課題】
【００１３】
しかしながら、上述の如く、２つのチューナモジュール（第１チューナモジュール２０１，第２チューナモジュール２０２）と２つのＲＤＳデモジュレータ（第１ＲＤＳデモジュレータ２０３，第２ＲＤＳデモジュレータ２０４）をそなえることは、ＲＤＳデータ受信装置の小型化を阻害するとともに、製造コストが高騰するという課題がある。
また、上記非特許文献１には、２つのチューナ（ＩＦ−検波，チューナモジュール）とともに１つのＲＤＳデコーダをそなえた２チューナ方式ＲＤＳ受信機が開示され、これらの２つのチューナのうち、一方のチューナ（第１のチューナ）で放送を受信して音声を出力するとともに、他方のチューナ（第２のチューナ）によりＲＤＳデータのＡＦリスト局を受信し、現在音声用として受信している放送番組と同一番組を放送している局であるか、又、電界強度の強弱はどうかをチェックすることが開示されている。
【００１４】
しかしながら、２つのチューナで１つのＲＤＳデコーダを共有する場合には、ＲＤＳデコーダが、一方のチューナによって受信したＲＤＳデータをデコードしている間は、他方のチューナで受信したＲＤＳデータをデコードすることができず、この他方のチューナで受信するＲＤＳデータを用いる機能が阻害されるという課題がある。
例えば、第１のチューナによって受信したＲＤＳデータにおけるグループタイプ２Ａのデータ（ラジオテキスト情報）をデータ復調している間は、第２のチューナで受信したＲＤＳデータにおけるグループタイプ３Ａやグループタイプ８Ａのデータをデコードすることができず、カーナビゲーション装置において使用される交通情報の取り逃がしが発生する。
【００１５】
また、運転中のドライバにおいては、交通情報が放送されている場合には、この交通情報を確実に受信したいという要求があり、又、視聴する音声放送は、音切れ等の無い良好な品質であることが望ましい。
本発明は、このような課題に鑑み創案されたもので、装置を小型化するとともに製造コストを低減し、更に、特定サービスの取り逃がしを防止し、又、良好な品質の音声放送を取得することを目的とする。
【課題を解決するための手段】
【００１６】
このため、本発明のＲＤＳデータ受信装置（請求項１）は、ＲＤＳ（Radio Data System）データを受信する受信装置において、主として音声を受信する第１チューナモジュールと、該第１チューナモジュールと並列的に設けられ、主として該ＲＤＳデータを受信する第２チューナモジュールと、上記の第１チューナモジュールおよび第２チューナモジュールで共用され、該ＲＤＳデータを復号するためのデモジュレータと、上記の第１チューナモジュールまたは第２チューナモジュールからのデータ出力を該デモジュレータに選択的に入力しうる選択手段と、該選択手段の選択状態を制御する選択制御手段と、該第２チューナモジュールで交通情報が放送されていることが検出されると、該第１チューナモジュールの受信周波数を該第２チューナモジュールでの受信周波数に変更する受信周波数調整手段とを備えて構成されたことを特徴としている。
【００１７】
また、本発明のＲＤＳデータ受信装置（請求項２）は、ＲＤＳ（Radio Data System）データを受信する受信装置において、主として音声を受信する第１チューナモジュールと、該第１チューナモジュールと並列的に設けられ、主として該ＲＤＳデータを受信する第２チューナモジュールと、上記の第１チューナモジュールおよび第２チューナモジュールに共用されるデモジュレータと、上記の第１チューナモジュールまたは第２チューナモジュールからのデータ出力を該デモジュレータに選択的に入力しうる選択手段と、該第２チューナモジュールで受信した該ＲＤＳデータを他機器で使用している場合は、該第２チューナモジュールからのデータ出力を該デモジュレータに入力するよう該選択手段に選択させる選択制御手段とを備えて構成されたことを特徴としている。
【００１８】
さらに、本発明のＲＤＳデータ受信装置（請求項３）は、ＲＤＳ（Radio Data System）データを受信する受信装置において、主として音声を受信する第１チューナモジュールと、該第１チューナモジュールと並列的に設けられ、主として該ＲＤＳデータを受信する第２チューナモジュールと、上記の第１チューナモジュールおよび第２チューナモジュールで共用され、該ＲＤＳデータを復号するためのデモジュレータと、上記の第１チューナモジュールまたは第２チューナモジュールからのデータ出力を該デモジュレータに選択的に入力しうる選択手段と、該第２チューナモジュールで受信した該ＲＤＳデータを他機器で使用していない時に、前記第１チューナモジュールで受信している放送データの代替周波数のアンテナ入力チェックを行なうネットワークフォロー手段とを備えることを特徴としている。
【００１９】
またさらに、本発明のＲＤＳデータ受信装置（請求項４）は、ＲＤＳ（Radio Data System）データを受信する受信装置において、主として音声を受信する第１チューナモジュールと、該第１チューナモジュールと並列的に設けられ、主として該ＲＤＳデータを受信する第２チューナモジュールと、上記の第１チューナモジュールおよび第２チューナモジュールで共用され、該ＲＤＳデータを復号するためのデモジュレータと、上記の第１チューナモジュールまたは第２チューナモジュールからのデータ出力を該デモジュレータに選択的に入力しうる選択手段と、該第２チューナモジュールで受信した該ＲＤＳデータを他機器で使用していない時に、前記第１チューナモジュールで受信している放送データの代替周波数の放送局コードチェックを行なうネットワークフォロー手段とを備えることを特徴としている。
【００２０】
また、本発明のデータ受信装置（請求項５）は、第１の情報と当該第１の情報とは異なる第２の情報とを多重化した多重放送信号を受信するデータ受信装置であって、主として該第１の情報を受信する第１チューナモジュールと、該第１チューナモジュールと並列的に設けられるとともに、該第１の情報と該第２の情報とを受信可能に構成され、主として該第２の情報を受信する第２チューナモジュールと、上記の第１チューナモジュールおよび第２チューナモジュールで共用され、該第２の情報の解読を行なうデモジュレータと、上記の第１チューナモジュールまたは第２チューナモジュールによって受信される該第２の情報を該デモジュレータに選択的に入力しうる選択手段と、前記選択手段の選択状態を制御する選択制御手段と、該第２チューナモジュールで該第２の情報におけるステータスコードが特定情報配信モードとなったことが検出されると、該第１チューナモジュールの受信周波数を該第２チューナモジュールでの受信周波数に変更する受信周波数調整手段とを備えて構成されたことを特徴としている。
【００２１】
さらに、本発明のデータ受信装置（請求項６）は、第１の情報と当該第１の情報とは異なる第２の情報とを多重化した多重放送信号を受信するデータ受信装置であって、主として該第１の情報を受信する第１チューナモジュールと、該第１チューナモジュールと並列的に設けられるとともに、該第１の情報と該第２の情報とを受信可能に構成され、主として該第２の情報を受信する第２チューナモジュールと、上記の第１チューナモジュールおよび第２チューナモジュールで共用され、該第２の情報の解読を行なうデモジュレータと、上記の第１チューナモジュールまたは第２チューナモジュールによって受信される該第２の情報を該デモジュレータに選択的に入力しうる選択手段と、該第２チューナモジュールで特定の第２の情報を受信している場合は、該第２チューナモジュールからのデータ出力を該デモジュレータに入力するよう該選択手段に選択させる選択制御手段とを備えて構成されたことを特徴としている。
【発明の効果】
【００２２】
本発明によれば、以下の少なくともいずれか１つの効果ないし利点が得られる。
（１）第１チューナモジュールと第２チューナモジュールとで共通のデモジュレータをそなえて構成することにより、装置を小型化するととともに、製造コストを低減することができる。
（２）交通情報（第２の情報）を確実に受信することができ、例えば、交通情報を確実に受信しドライバに対して提供することができる。
【発明を実施するための最良の形態】
【００２３】
以下、図面を参照して本発明の実施の形態を説明する。
図１は本発明の一実施形態としてのＲＤＳデータ受信装置の構成を模式的に示す図である。
本ＲＤＳデータ受信装置１００は、ＲＤＳシステムにおいて放送信号やＲＤＳデータの受信に用いられるものであって、車両等の移動体に搭載され、図１に示すように、第１チューナモジュール１０１，第２チューナモジュール１０２，切替スイッチ１０３，ＲＤＳデモジュレータ１０４，マイコン１０６，アンプ１０７および分配器１１０をそなえて構成されている。又、このＲＤＳデータ受信装置１００には、アンテナ１０５，スピーカ１０８およびカーナビゲーションシステム１０９が接続されている。
【００２４】
アンテナ１０５は、例えば基地局から出力されるＦＭ電波等の放送信号を受信するものであり、この放送信号は音声信号（第１の情報）にＲＤＳデータ（第２の情報）が多重化されている。分配器１１０は、アンテナ１０５によって受信された放送信号を第１チューナモジュール１０１と第２チューナモジュール１０２とに分配するものである。
第１チューナモジュール１０１は、分配器１１０によって分配された放送信号から任意周波数の放送信号に同調（選局）するものであり、この選局された信号を検波して音声信号を抽出し、この抽出した音声信号をアンプ１０７に出力するようになっている。そして、本実施形態においては、第１チューナモジュール１０１は主として音声（第１の情報）を受信するようになっている。
【００２５】
また、第１チューナモジュール１０１は、受信選局した放送信号に重畳されているＲＤＳデータの信号成分を図示しないＢＰＦ（Band Pass Filter）等によって抽出し、抽出したＲＤＳデータを切替スイッチ１０３を介してＲＤＳデモジュレータ１０４に渡すようになっている。
なお、放送中のラジオ番組に関するＲＤＳデータとしては、例えば、放送中の曲のタイトルやアーティスト名等のテキストデータがあげられる。これらのテキストデータは、ＲＤＳデータにおけるグループタイプ２Ａのデータ（ラジオテキスト情報）として送信されるようになっている。
【００２６】
ここで、ＲＤＳデータについて簡単に説明する。
図２はＲＤＳデータのベースバンドデータの構成を示す図である。ＲＤＳデータは、この図２に示すような１０４ビットのサイズを有するグループ単位で構成され、又、一つのグループは２６ビットからなる４つのブロック（ブロック１〜４）に分けられる。そして、ブロック１にはＰＩ（Program Identification）コードが、ブロック２にはグループのタイプがそれぞれ格納されるようになっている。なお、ＰＩコードは、放送局を識別するための情報（コード）である。
【００２７】
また、ブロック２においては、ＴＡ（Traffic Announcement）コードやＴＰ（Traffic Program）コードが格納されるようになっている。ＴＡコードは、交通情報が放送中であるか否かを表す１ビットの情報であり、ＴＡ＝１の場合には、交通情報を現在放送していること示し、ＴＡ＝０の場合には、交通情報を現在放送していないことを示している。
ＴＰコードは、交通情報局か否かを表す１ビットの情報であり、ＴＰ＝１の場合には、交通情報する機会のある放送局であることを示し、ＴＰ＝０の場合には、交通情報を放送することがない放送局であることを示している。
【００２８】
そして、ＲＤＳデータにおいて、ＴＡ＝ＴＰ＝１の場合には、その放送周波数帯において交通情報を放送中であることがわかる。
図３はＲＤＳにおけるグループタイプを説明するための図である。ＲＤＳにおいては、この図３に示すように、３２のグループタイプを有し、放送局等において、必要とされるタイプのグループのシーケンスを所定方式に従って音声放送に多重化することで、ＲＤＳデータの放送が行なわれるようになっている。
【００２９】
例えば、グループタイプ８Ａによって交通情報に関する情報（Traffic Message Channel）が送信され、グループタイプ２Ａによってラジオ放送に関するテキスト情報（Radio Text）が送信されるようになっている。
第２チューナモジュール１０２は、第１チューナモジュール１０１と同様に、分配器１１０によって分配された放送信号から任意周波数の放送信号に同調（選局）するものであり、更に、選局された信号を検波して音声信号を抽出し、この抽出した音声信号をアンプ１０７に出力するようになっている。
【００３０】
また、この第２チューナモジュール１０２は、受信選局した信号に重畳されているＲＤＳデータの信号成分を図示しないＢＰＦ等によって抽出し、抽出したＲＤＳデータを切替スイッチ１０３を介してＲＤＳデモジュレータ１０４に渡すようになっている。なお、この第２チューナモジュール１０２は、交通情報等の、主にカーナビゲーションシステム１０９において用いられるＲＤＳデータ（第２の情報）の受信に用いられるようになっており、主としてＲＤＳデータを受信するようになっている。
【００３１】
図４（ａ），（ｂ）は本発明の一実施形態としてのＲＤＳデータ受信装置１００の第１チューナモジュール１０１によって受信されるＲＤＳデータと第２チューナモジュール１０２によって受信されるＲＤＳデータとの例を示す図であって、図４（ａ）は第１チューナモジュール１０１によって受信されるＲＤＳデータを示す図、図４（ｂ）は第２チューナモジュール１０２によって受信されるＲＤＳデータを示す図である。この図４（ａ），（ｂ）に示すように、第１チューナモジュール１０１と第２チューナモジュール１０２とはそれぞれＲＤＳデータをフレーム（グループ）として受信し、必要とされるグループタイプのデータが抽出されるようになっている。例えば、第１チューナモジュール１０１においてはグループタイプ２Ａが抽出され、第２チューナモジュール１０２においてはグループタイプ３Ａ，８Ａがそれぞれ抽出されるようになっている。
【００３２】
切替スイッチ（選択手段）１０３は、後述するマイコン１０６のコントローラ１１１の制御に基づいて、第１チューナモジュール１０１によって受信・抽出されたＲＤＳデータと第２チューナモジュール１０２によって受信・抽出されたＲＤＳデータとを任意に切り替えて、つまり選択してＲＤＳデモジュレータ１０４に入力するものであって、第１チューナモジュール１０１または第２チューナモジュール１０２からのデータ出力をＲＤＳデモジュレータ１０４に選択的に入力するようになっている。
【００３３】
この切替スイッチ１０３における入力の選択は、例えばアナログＩＣ（Integrated Circuit）制御によって実現することができる。
ＲＤＳデモジュレータ（デモジュレータ）１０４は、第１チューナモジュール１０１および第２チューナモジュール１０２によって同調された放送信号からそれぞれ抽出されたＲＤＳデータのデータ復調（復号，解読，デコード）を行なうものであり、第１チューナモジュール１０１と第２チューナモジュール１０２とで共用されるようになっている。
【００３４】
このＲＤＳデモジュレータ１０４は、第１チューナモジュール１０１および第２チューナモジュール１０２から入力されるＲＤＳデータを順次データ復調するようになっており、又、そのデータ復調の結果は、マイコン１０６に渡されるようになっている。
マイコン（マイクロコンピュータ）１０６は、ＲＤＳデモジュレータ１０４によって解読されたＲＤＳデータに基づいて種々の処理や機能を実現するものであり、例えば、第１チューナモジュール１０１によって受信されたＲＤＳデータに基づいて、図示しないディスプレイに、放送されている楽曲のタイトルやアーティスト名を表示させる制御を行なったり、第２チューナモジュール１０２によって受信されたＲＤＳデータに基づいて、交通情報を取得し、カーナビゲーションシステム１０９に渡すようになっている。
【００３５】
また、マイコン１０６は、ＲＤＳデモジュレータ１０４によってデータ復調されたＲＤＳデータ（ＡＦ（Alternative Frequency）コード）に基づいて、第１チューナモジュール１０１や第２チューナモジュール１０２によって受信した放送信号の受信レベルを調べるアンテナ入力チェック（Ｓチェック）機能や、ＲＤＳデモジュレータ１０４によってデータ復調されたＲＤＳデータ（ＰＩコード）に基づいて、放送局コードを調べる放送局コードチェック（ＰＩ（Program Identification）チェック）機能等のネットワークフォロー機能を実現するようになっている。
【００３６】
なお、本実施形態においては、マイコン１０６がアンテナ入力チェックや放送局コードチェックを行なっているが、これに限定されるものではなく、マイコン１０６以外のものがこれらのアンテナ入力チェック機能や放送局コードチェック機能を行なってもよい。
さらに、マイコン１０６は、ＲＤＳデータ受信用プログラムを実行することにより、コントローラ１１１および受信周波数調整器１１２として機能するようになっている。
【００３７】
コントローラ（選択制御手段）１１１は、切替スイッチ１０３の選択状態の制御（選択制御）を行なうものであって、第２チューナモジュール１０２で受信したＲＤＳデータをカーナビゲーションシステム１０９に出力している場合は、第１チューナモジュール１０１経由でのデータ復調を禁止させるよう、切替スイッチ１０３の選択制御を行なうようになっている。
【００３８】
すなわち、コントローラ１１１は、第２チューナモジュール１０２で受信したＲＤＳデータを他機器で使用している場合は、第２チューナモジュール１０２からのデータ出力をデモジュレータ１０４に入力するよう切替スイッチ１０３に選択させるようになっている。
具体的には、コントローラ１１１は、第２チューナモジュール１０２によって特定のＲＤＳデータ（特定データ）を受信している場合には、第１チューナモジュール１０１経由でのＲＤＳデータの復調（データ復調）を禁止させるよう、切替スイッチ１０３の選択制御を行なうようになっている。ここで、特定データとは、例えば、ＲＤＳデータにおけるグループタイプ３Ａ，８Ａのデータである。
【００３９】
また、コントローラ１１１は、第１チューナモジュール１０１についてのネットワークフォロー機能情報を第２チューナモジュール１０２経由でデータ復調させるよう、切替スイッチ１０３の選択制御を行なうようになっている。
具体的には、コントローラ１１１は、第２チューナモジュール１０２で受信したＲＤＳデータをカーナビゲーションシステム１０９に出力していないタイミングで、マイコン１０６にネットワークフォロー機能情報としての第１チューナモジュール１０１で受信している放送データの代替周波数のアンテナ入力チェック（Ｓチェック）を行なわせるように、切替スイッチ１０３が第１チューナモジュール１０１を選択するよう制御を行なっている。例えば、第２チューナモジュール１０２でＲＤＳデータをカーナビゲーションシステム１０９に出力していないタイミングとして、第２チューナモジュール１０２でＲＤＳデータにおけるグループタイプ３Ａやグループタイプ８Ａ等の特定のデータ（特定データ）を受信していない場合に、第１チューナモジュール１０１によって受信されたＲＤＳデータ（ＡＦ（Alternative Frequency）コード等）をＲＤＳデモジュレータ１０４に入力させるように切替スイッチ１０３の選択制御を行ない、第１チューナモジュール１０１経由でのデータ復調を行なわせるようになっている。
【００４０】
また、コントローラ１１１は、第２チューナモジュール１０２でＲＤＳデータをカーナビゲーションシステム１０９に出力していないタイミングで、マイコン１０６にネットワークフォロー機能情報としての第１チューナモジュール１０１のための放送局コードチェック（ＰＩ（Program Identification）チェック）を行なわせるように、切替スイッチ１０３が第１チューナモジュール１０１を選択するように制御を行なっている。例えば、第２チューナモジュール１０２でＲＤＳデータにおけるグループタイプ３Ａやグループタイプ８Ａ等の特定のデータを受信していない場合に、第１チューナモジュール１０１によって受信されたＲＤＳデータ（ＰＩコード等）をＲＤＳデモジュレータ１０４に入力させるように切替スイッチ１０３の選択制御を行ない、ＲＤＳデモジュレータ１０４に、第１チューナモジュール１０１経由でのデータ復調を行なわせるようになっている。
【００４１】
そして、ＲＤＳデモジュレータ１０４においては、第１チューナモジュール１０１経由でのデータ復調を行ない、マイコン１０６等において、ＳチェックやＰＩチェックが行なわれるようになっている。
これらのＳチェックやＰＩチェックを、第２チューナモジュール１０２でＲＤＳデータをカーナビゲーションシステム１０９に出力していないタイミングで行なうことにより、音切れの発生を回避することができる。
【００４２】
受信周波数調整器（受信周波数調整手段）１１２は、第１チューナモジュール１０１の受信周波数を変更する制御を行なうものであって、第２チューナモジュール１０２からのデータ出力がＲＤＳデモジュレータに入力されるようにコントローラ１１１が切替スイッチ１０３に選択させている状態で、第２チューナモジュール１０２で交通情報コード（ステータスコード）が交通情報モード（特定情報配信モード）となったことが検出されると、第１チューナモジュール１０１の受信周波数を第２チューナモジュール１０２での受信周波数に変更するようになっている。
【００４３】
すなわち、受信周波数調整器１１２は、第２チューナモジュール１０２で交通情報が放送されていることが検出されると、第１チューナモジュール１０１の受信周波数を第２チューナモジュール１０２での受信周波数に変更するようになっている。
具体的には、受信周波数調整器１１２は、第２チューナモジュール１０２によって受信されたＲＤＳデータにおいて、その交通情報コードとしてのＴＡコードおよびＴＰコードがそれぞれ１になったことが検出されると、第２チューナモジュール１０２の受信周波数を第１チューナモジュール１０１での受信周波数に変更するようになっている。
【００４４】
このように、第１チューナモジュール１０１での受信周波数を変更することにより、交通情報の放送（音声放送）が第１チューナモジュール１０１で受信され、アンプ１０７及びスピーカ１０８を介して出力される。
前述したように、ＲＤＳデータにおいて、ＴＡ＝ＴＰ＝１の場合に、その放送周波数帯において交通情報を放送中であると判断することができるので、第２チューナモジュール１０２で交通情報コードとしてのＴＡコードおよびＴＰコードがそれぞれ１になったことが検出されると、第２チューナモジュール１０２の受信周波数帯において交通情報が放送中であると判断し、第１チューナモジュール１０１での受信周波数に変更することにより、放送されている交通情報を確実に視聴（取得）することができるのである。
【００４５】
その後、第２チューナモジュール１０２で交通情報コードが非交通情報モード（ＴＡコード及びＴＰコードのいずれかが０）となったことが検出されると、例えば、受信周波数調整器１１２は、第１チューナモジュール１０１の受信周波数を元の周波数に戻してもよい。このために、例えば、メモリやハードディスク等の記憶手段をそなえ、第１チューナモジュール１０１で受信していた受信周波数をこの記憶手段に保存しておくことにより、受信周波数調整器１１２が、この保存された情報に基づいて第１チューナモジュール１０１の受信周波数を元の周波数に戻すことができる。
【００４６】
なお、上述したコントローラ１１１および受信周波数調整器１１２としての機能を実現するためのプログラム（ＲＤＳデータ受信用プログラム）は、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ等），磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００４７】
コントローラ１１１および受信周波数調整器１１２としての機能を実現する際には、内部記憶装置（本実施形態では図示しないＲＡＭやＲＯＭ）に格納されたＲＤＳデータ受信用プログラムがコンピュータのマイクロプロセッサ（本実施形態ではマイコン１０６）によって実行される。このとき、記録媒体に記録されたＲＤＳデータ受信用プログラムをコンピュータが読み取って実行するようにしてもよい。
【００４８】
なお、本実施形態において、コンピュータとは、ハードウェアとオペレーティングシステムとを含む概念であり、オペレーティングシステムの制御の下で動作するハードウェアを意味している。又、オペレーティングシステムが不要でアプリケーションプログラム単独でハードウェアを動作させるような場合には、そのハードウェア自体がコンピュータに相当する。ハードウェアは、少なくとも、ＣＰＵ等のマイクロプロセッサ（マイコン）と、記録媒体に記録されたコンピュータプログラムを読み取るための手段とをそなえており、本実施形態においては、ＲＤＳデータ受信装置１００がコンピュータとしての機能を有しているのである。
【００４９】
さらに、本実施形態における記録媒体としては、上述したフレキシブルディスク，ＣＤ，ＤＶＤ，磁気ディスク，光ディスク，光磁気ディスクのほか、ＩＣカード，ＲＯＭカートリッジ，磁気テープ，パンチカード，コンピュータの内部記憶装置（ＲＡＭやＲＯＭなどのメモリ），外部記憶装置等や、バーコードなどの符号が印刷された印刷物等のコンピュータ読取可能な種々の媒体を利用することができる。
【００５０】
カーナビゲーションシステム１０９は、運転者に走行中の自動車の現在位置や周囲状況の情報を知らせるものであって、マイコン１０６から受け取った交通情報を用いて、ディスプレイ（図示省略）への渋滞情報の表示やルートの再計算等の種々の処理を行なうようになっている。
アンプ１０７は、第１チューナモジュール１０１によって受信・検波されることにより抽出された音声信号に対して、増幅等の音声信号処理を行なうものであり、スピーカ１０８は、アンプ１０７によって処理された音声信号を出力するものである。
【００５１】
上述の如く構成された本発明の一実施形態としてのＲＤＳ受信装置１００においては、アンテナ１０５によって受信され分配器１１０によって分配された放送信号について、例えばユーザが所望するラジオ放送を第１チューナモジュール１０１により選局し、その放送の音声（例えば音楽）がアンプ１０７やスピーカ１０８を介して出力される。
また、第２チューナモジュール１０２は、アンテナ１０５によって受信され分配器１１０によって分配された放送信号について、ＲＤＳデータが重畳された放送信号を選局する。
【００５２】
コントローラ１１１は切替スイッチ１０３の選択制御を適宜行ない、ＲＤＳデモジュレータ１０４は、これらの第１チューナモジュール１０１と第２チューナモジュール１０２とによりそれぞれ受信選局された放送信号に重畳されているＲＤＳデータのデータ復調を行なう。
このＲＤＳデモジュレータ１０４によって復調されたＲＤＳデータはマイコン１０６に送信され、このマイコン１０６が、そのＲＤＳデータに基づき、例えば、放送中の楽曲のタイトルやアーティスト名等のテキスト情報をディスプレイに表示させたり、交通情報等を取得し、カーナビゲーションシステム１０９において、渋滞情報の表示等、種々の処理が行なわれる。
【００５３】
図５は本発明の一実施形態としてのＲＤＳデータ受信装置１００におけるコントローラ１１１による切替スイッチ１０３の選択制御を説明するためのフローチャート（ステップＡ１０，Ａ２０，Ａ３０，Ａ４０）である。なお、本フローは電源がＯＮされることで開始され、電源がＯＦＦされるまで継続して行なわれる。
第２チューナモジュール１０２により受信されたＲＤＳデータがＲＤＳデモジュレータ１０４に取り込まれると（ステップＡ１０）、ＲＤＳデモジュレータ１０４がＲＤＳデータのデータ復調を行なう。
【００５４】
コントローラ１１１は、復調されたＲＤＳデータが予め設定された特定のグループタイプのデータ（例えば、グループタイプ３Ａ，８Ａ；特定データ）であるか否かを判断し（ステップＡ２０）、復調されたＲＤＳデータが特定のグループタイプである場合には（ステップＡ２０のＹＥＳルート参照）、その特定グループタイプのデータを取り込み（ステップＡ３０）、そのＲＤＳにかかる処理を行なう。例えば、復調されたＲＤＳデータがグループタイプ８Ａの場合には、そのＲＤＳデータから交通情報を受信してカーナビゲーションシステム１０９に受け渡し、カーナビゲーションシステム１０９は、この交通情報を用いて、ディスプレイ（図示省略）への渋滞情報の表示やルートの再計算等の種々の処理を行なう。その後、ステップＡ１０に戻る。
【００５５】
一方、復調されたＲＤＳデータが特定のグループタイプではない場合には（ステップＡ２０のＮＯルート参照）、第１チューナモジュール１０１のＡＦのＳチェックやＰＩチェックを行ない（ステップＡ４０）、ステップＡ１０に戻る。
図６は本発明の一実施形態としてのＲＤＳデータ受信装置１００における受信周波数調整器１１２による制御を説明するためのフローチャート（ステップＢ１０，Ｂ２０，Ｂ３０，Ｂ４０，Ｂ５０，Ｂ６０）である。本フローも、電源がＯＮされることで開始され、電源がＯＦＦされるまで継続して行なわれる。
【００５６】
第２チューナモジュール１０２により受信されたＲＤＳデータがＲＤＳデモジュレータ１０４に取り込まれると（ステップＢ１０）、ＲＤＳデモジュレータ１０４がＲＤＳデータのデータ復調を行なう。
受信周波数調整器１１２は、復調されたＲＤＳデータに基づいて、そのＴＡコードおよびＴＰコードがいずれも１であるか否かを判断し（ステップＢ２０）、ＴＡコードおよびＴＰコードのいずれも１である場合には（ステップＢ２０のＹＥＳルート参照）、第１チューナモジュール１０１の受信周波数を第２チューナモジュール１０２で受信している受信周波数に変更させる（ステップＢ３０）。
【００５７】
その後、受信周波数調整器１１２は、ＴＡコードおよびＴＰコードの少なくともいずれかが０であるか否かを判断し（ステップＢ４０）、ＴＡコードおよびＴＰコードのいずれも１である場合には（ステップＢ４０のＮＯルート参照）、ステップＢ４０を繰り返し行なう。ＴＡコードおよびＴＰコードの少なくともいずれかが０である場合には（ステップＢ４０のＹＥＳルート参照）、第１チューナモジュール１０１の受信周波数を第２チューナモジュール１０２の受信周波数に変更する前の状態に戻し（ステップＢ５０）、ステップＢ１０に戻る。
【００５８】
一方、ＴＡコードおよびＴＰコードの少なくともいずれかが０である場合には（ステップＢ２０のＮＯルート参照）、そのまま第１チューナモジュール１０１の受信周波数調整器１１２周波数を変更することなく（通常動作；ステップＢ６０）、ステップＢ１０に戻る。
このように、本発明の一実施形態としてのＲＤＳデータ受信装置１００によれば、第１チューナモジュール１０１と第２チューナモジュール１０２とで共用のＲＤＳデモジュレータ１０４をそなえて構成することにより、ＲＤＳデータ受信装置を小型化するととともに、製造コストを低減することができる。
【００５９】
また、コントローラ１１１が、第２チューナモジュール１０２で特定のＲＤＳデータを受信している間は、第１チューナモジュール１０１経由でのデータ復調を禁止させるよう、切替スイッチ１０３の選択制御を行なうので、第２チューナモジュール１０２によって受信される特定のＲＤＳデータの取り逃がしを回避することができ、例えば、交通情報を確実に受信しドライバに対して提供することができる。
【００６０】
さらに、第２チューナモジュール１０２からのデータ出力がＲＤＳデモジュレータ１０４に入力されるようにコントローラ１１１が切替スイッチ１０３に選択させている状態で、第２チューナモジュール１０２で交通情報コードが交通情報モード（ＴＡ＝ＴＰ＝１）となったことが検出されると、第１チューナモジュール１０１の受信周波数を第２チューナモジュール１０２での受信周波数に変更することにより、交通情報を確実に受信することができ、例えば、交通情報を確実に受信しドライバに対して提供することができる。
【００６１】
そして、本発明は上述した実施形態に限定されるものではなく、本発明の趣旨を逸脱しない範囲で種々変形して実施することができる。
例えば、上述した実施形態では、コントローラ１１１が、第２チューナモジュール１０２によって特定のＲＤＳデータ（例えば、グループタイプ３Ａ，８Ａ）を受信している場合には、第１チューナモジュール１０１経由でのＲＤＳデータの復調（データ復調）を禁止させるよう、切替スイッチ１０３の選択制御を行なうようになっているが、それに限定されるものではなく、予め、これらの特定の（第２チューナモジュール１０２で使用される）ＲＤＳデータが送信されるタイミング（送信タイミング；周期）を予めメモリ等の記憶手段に記憶しておき、これらの特定ＲＤＳデータの受信期間中は第１チューナモジュール１０１経由でのＲＤＳデータの復調（データ復調）を禁止させるよう、切替スイッチ１０３の選択制御を行なってもよい。
【００６２】
これらの第２チューナモジュール１０２で使用される特定のＲＤＳデータは、基本的に周期的に送信されるので、その送信タイミングを予め設定するともに、送信タイミングになったか否かを特定のＲＤＳデータの受信期間中に第１チューナモジュール１０１経由でのＲＤＳデータの復調（データ復調）を禁止させることができる。
図７は本発明の一実施形態としてのＲＤＳデータ受信装置１００における受信周波数調整器１１２による制御の変形例を説明するためのフローチャート（ステップＣ１０，Ｃ２０，Ｃ３０，Ｃ４０）である。本フローも、電源がＯＮされることで開始され、電源がＯＦＦされるまで継続して行なわれる。
【００６３】
コントローラ１１１は、第２チューナモジュール１０２で使用されるＲＤＳデータ（例えばグループタイプ３Ａ，８Ａ）の送信タイミングであるか否かを判断する（ステップＣ１０）。なお、送信タイミングは、タイマ等を用いることにより計測することができ、又、このタイマは、専用にそなえても良く、又、マイコン１０６によって実現してもよい。
ここで、送信タイミングである場合には（ステップＣ１０のＹＥＳルート参照）、第１チューナモジュール１０１経由でのＲＤＳデータの復調（データ復調）を禁止させるべく、第２チューナモジュール１０２によって受信されたＲＤＳデータがＲＤＳデモジュレータ１０４に入力されるように、切替スイッチ１０３に選択させるよう制御を行ない（ステップＣ２０）、ＲＤＳデモジュレータ１０４へのＲＤＳデータの取り込みを行なう（ステップＣ３０）。
【００６４】
ＲＤＳデモジュレータ１０４においては、取り込んだＲＤＳデータのデータ復調を行ない、マイコン１０６が、そのＲＤＳにかかる処理を行なう。例えば、復調されたＲＤＳデータがグループタイプ８Ａの場合には、そのＲＤＳデータから交通情報を受信してカーナビゲーションシステム１０９に受け渡され、カーナビゲーションシステム１０９が、この交通情報を用いて、ディスプレイ（図示省略）への渋滞情報の表示やルートの再計算等の種々の処理を行なう。その後、ステップＣ１０に戻る。
【００６５】
一方、第２チューナモジュール１０２で使用されるＲＤＳデータの送信タイミングではない場合には（ステップＣ１０のＮＯルート参照）、切替スイッチ１０３の選択制御を行なわずに通常の動作を行ない（ステップＣ４０）、ステップＣ１０に戻る。
このように、コントローラ１１１が、第２チューナモジュール１０２で使用されるＲＤＳデータの送信タイミングに合わせて、第２チューナモジュール１０２によって受信されたＲＤＳデータがＲＤＳデモジュレータ１０４に入力されるように、切替スイッチ１０３に選択させることにより、第２チューナモジュール１０２によって受信されるＲＤＳデータの取り逃がしを回避することができる。
【００６６】
また、上述した実施形態およびその変形例においては、第２チューナモジュール１０２によって受信されるＲＤＳデータの方が、第１チューナモジュール１０１によって受信されるＲＤＳデータよりも優先させる場合について説明しているが、これに限定されるものではなく、第２チューナモジュール１０２によって受信されるＲＤＳデータよりも、第１チューナモジュール１０１によって受信されるＲＤＳデータを優先的に処理する場合には、コントローラ１１１が、第１チューナモジュール１０１によって受信されるＲＤＳデータの取り逃がしを回避するために、第１チューナモジュール１０１によって特定のＲＤＳデータを受信している場合やその送信タイミングに合わせて、第２チューナモジュール１０２経由でのＲＤＳデータの復調禁止させるように切替スイッチ１０３の選択制御を行なってもよい。
【００６７】
さらに、上述した実施形態においては、ＲＤＳデータ受信装置１００が、第１チューナモジュール１０１と第２チューナモジュール１０２との２つのチューナモジュールと、１つのＲＤＳデモジュレータ１０４をそなえて構成された例について説明しているが、これに限定されるものではなく、３以上のチューナモジュールや２以上のＲＤＳデモジュレータをそなえてもよい。
【００６８】
また、上述した実施形態においては、音声信号にＲＤＳデータが多重化されたＦＭ放送信号の例について説明しているが、これに限定されるものではなく、音声データ以外の他のデータにＲＤＳデータもしくはＲＤＳデータ以外のデータを多重化してもよい。
さらに、上述した実施形態においては、第２チューナモジュール１０２でＲＤＳデータを使用しているタイミングとして、第２チューナモジュール１０２でＲＤＳデータにおけるグループタイプ３Ａやグループタイプ８Ａ等の特定のデータ（特定データ）を受信している例について説明しているが、これに限定されるものではなく、これら以外の状態を第２チューナモジュール１０２でＲＤＳデータを使用しているタイミングとしてもよい。
【００６９】
また、上述した実施形態においては、ＲＤＳデータにおいてＴＡ＝ＴＰ＝１が検出された場合に、第２チューナモジュール１０２で交通情報コード（ステータスコード）が交通情報モード（特定情報配信モード）となったと判定しているが、これに限定されるものではなく、他の条件を検出することにより交通情報モード（特定情報配信モード）となったことを検出してもよい。
【００７０】
また、上述した実施形態では、カーナビゲーションシステム１０９にＲＤＳデータを出力する例について説明しているが、これに限定されるものではなく、ＲＤＳデータを利用する機能をそなえた機器であれば、本発明の効果を発揮することができる。
なお、本発明の実施形態およびその変形例が開示されていれば、本発明を当業者によって実施・製造することが可能である。
【産業上の利用可能性】
【００７１】
第１の情報にこの第１の情報とは異なる第２の情報を多重化した種々の多重放送信号の受信に適用できる。
【図面の簡単な説明】
【００７２】
【図１】本発明の一実施形態としてのＲＤＳデータ受信装置の構成を模式的に示す図である。
【図２】ＲＤＳデータのベースバンドデータの構成を示す図である。
【図３】ＲＤＳにおけるグループタイプを説明するための図である。
【図４】（ａ），（ｂ）は本発明の一実施形態としてのＲＤＳデータ受信装置の第１チューナモジュールによって受信されるＲＤＳデータと第２チューナモジュールによって受信されるＲＤＳデータとの例を示す図である。
【図５】本発明の一実施形態としてのＲＤＳデータ受信装置におけるコントローラによる切替スイッチの選択制御を説明するためのフローチャートである。
【図６】本発明の一実施形態としてのＲＤＳデータ受信装置における受信周波数調整器による制御を説明するためのフローチャートである。
【図７】本発明の一実施形態としてのＲＤＳデータ受信装置における受信周波数調整器による制御の変形例を説明するためのフローチャートである。
【図８】従来のＲＤＳデータ受信装置の構成を模式的に示す図である。
【符号の説明】
【００７３】
１００    ＲＤＳデータ受信装置（受信装置）
１０１    第１チューナモジュール
１０２    第２チューナモジュール
１０３    切替スイッチ（選択手段）
１０４    ＲＤＳデモジュレータ（デモジュレータ）
１０６    マイコン
１０７    アンプ
１０８    スピーカ
１０９    カーナビゲーションシステム
１１０    分配器
１１１    コントローラ（選択制御手段）
１１２    受信周波数調整器（受信周波数調整手段）
【図１】
2007174304.tif 000003
【図２】
2007174304.tif 000004
【図３】
2007174304.tif 000005
【図４】
2007174304.tif 000006
【図５】
2007174304.tif 000007
【図６】
2007174304.tif 000008
【図７】
2007174304.tif 000009
【図８】
2007174304.tif 000010